(57)【要約】【課題】ポンプケースの所定の場所から吸込部へ液体を導入する導水路を備え、前記吸込部内の所定の場所に導水路より導入された液体を貯留する貯留部を設けるとともに、貯留部の下側の所定の場所に、貯留部内に滞留している液体をポンプが停止しているときに排出するための排出部を設けることにより液体供給装置の小型化とともに簡素化が実現可能でき衛生的で利便性の高いポンプを低コストで提供する。【解決手段】ポンプケース１９には導水路２７が吸入通路２２と連接され羽根車の回転軸より下方に設けられた貯留部２８に接続されている。貯留部２８には貯留部内に滞留している液体をポンプが停止しているときに排出するための排出部２９が設けるようにした。【選択図】図５
2006233762.tif 000002
【特許請求の範囲】
【請求項１】
液体を吸排する羽根車を備えたポンプ部と、液体を吸入する吸入部および液体を吐出する吐出部を内蔵するポンプケースと、ポンプ部を駆動するモーター部とを有し、前記ポンプケースの所定の場所から吸込部へ液体を導入する導水路を備え、前記吸込部内の所定の場所に導水路より導入された液体を貯留する貯留部を設けたことを特徴とするポンプ。
【請求項２】
前記貯留部の下側の所定の場所に、貯留部内に滞留している液体をポンプが停止しているときに排出するための排出部を設けたことを特徴とする請求項１記載のポンプ。
【請求項３】
前記貯留部を吸込部内であって羽根車の回転軸より下方に設け、貯留部の所定の場所に前記導水路を接続したことを特徴とする請求項１または２記載のポンプ。
【請求項４】
請求項１〜３のいずれか１項に記載のポンプを備えたことを特徴とする液体供給装置。
【発明の詳細な説明】
【技術分野】
【０００１】
モータにより駆動され、液体を吸入して吐出するポンプおよびそれを備えた液体供給装置に関する。
【背景技術】
【０００２】
ポンプにおいては、羽根車を備えたポンプ部と、前記ポンプ部の前面に補助金具およびパッキンを介して配設されるとともに、吸入通路が周囲の吐出通路と分離板によって区画されて形成された液体を吸入する吸入部および液体を吐出する吐出部を内蔵するポンプケースと、ポンプ部を駆動するモータ部とを有し、前記分離板には前記吸入通路を通って流入する流れの正面位置に還流通路が形成され、前記分離板の吐出口側の端部が該吐出口側に向けて屈曲されている構成となっている。前記ポンプにおいては数箇所で屈曲している配管により構成される液体供給装置においても自吸性能を確保できる。
【特許文献１】登録実用新案第２５６９６５５号公報
【発明の開示】
【発明が解決しようとする課題】
【０００３】
しかしながら前記従来の技術の（特許文献１）に記載のポンプを例えば自動湯張り機能を持った給湯装置に組込まれた場合、湯張り時の給水路を確保する為にポンプケースの吸入部に湯張り用の給水時の導水路と追炊き循環時の吸入路を切り換える為の切換弁と切換弁制御装置の設置や複雑な導水配管の設置をしなければならず、給湯装置が大型化になってしまうとともに複雑化しコストの増加につながっている。
【課題を解決するための手段】
【０００４】
本発明は上記目的を達成するために、液体を吸排する羽根車を備えたポンプ部と、液体を吸入する吸入部および液体を吐出する吐出部を内蔵するポンプケースと、ポンプ部を駆動するモータ部とを有し、前記ポンプケースの所定の場所から吸込部へ液体を導入する導水路を備え、前記吸込部内の所定の場所に導水路より導入された液体を貯留する貯留部を設けたことを特徴としている。
【０００５】
この構成により湯張り用の給水時の導水路をポンプケースの所定の場所から吸込部へ液体を導入する導水路を介し、前記吸込部内の所定の場所に導水路より導入された液体を貯留する貯留部に接続することで、切換弁と切換弁制御装置を廃止でき、導水配管は簡素化されて給湯装置の小型化とともに簡素化が実現できコスト低減が達成できる。
【発明の効果】
【０００６】
本発明は切換弁と切換弁制御装置を廃止でき、導水配管は簡素化されて、液体供給装置の小型化とともに簡素化が実現可能な利便性の高い低コストのポンプを提供できるという効果を奏する。
【発明を実施するための最良の形態】
【０００７】
本発明の実施の形態は、液体を吸排する羽根車を備えたポンプ部と、液体を吸入する吸入部および液体を吐出する吐出部を内蔵するポンプケースと、ポンプ部を駆動するモータ部とを有し、ポンプケースの所定の場所から吸込部へ液体を導入する導水路を備え、吸込部内の所定の場所に導水路より導入された液体を貯留する貯留部を設けるようにしたものである。
【０００８】
これにより切換弁と切換弁制御装置を廃止でき、導水配管は簡素化されて液体供給装置の小型化とともに簡素化が実現可能な利便性の高い低コストのポンプを提供することができる。
【０００９】
また貯留部の下側の所定の場所に、貯留部内に滞留している液体をポンプが停止しているときに排出するための排出部を設けるようにしてもよい。
【００１０】
この場合はポンプが停止しているとき導水配管内の液体を容易に排出することができ配管内の雑菌の繁殖や冬場の凍結を防止することができる。
【００１１】
また貯留部を吸込部内であって羽根車の回転軸より下方に設け、貯留部の所定の場所に導水路を接続するようにしてもよい。
【００１２】
これにより、導水路の距離は短くなり滞留している液体の体積は少なくなりポンプが停止しているとき導水配管内の液体をより早く排出することができる。
【００１３】
そして上記ポンプを給水装置等の液体供給装置に組み込むようにすれば、液体供給装置の使い勝手を大いに高めることができる。
【００１４】
以下、本発明の実施の形態について図面を用いて説明する。
【００１５】
（実施の形態１）
図１に示す実施の形態１、２および３に示す浴槽水の循環装置の全体概要図のように、浴槽１があり、その浴槽１の外側には浴槽１内の浴槽水２を吸入して吐出するためのポンプ３と、浴槽水２を加熱するためのガスや電気または灯油等を用いた加熱部４が設置されている。浴槽１の下部の側面には浴槽水２の流出口５が取りつけられていて、その流出口５には循環往路６が接続されている。循環往路６の途中にはポンプ３が取りつけられている。ポンプ３には電磁弁が設けられた湯張り導水管９が接続されている。ポンプ３に接続された循環復路７の途中には加熱部４が取りつけられている。
【００１６】
その循環復路７は浴槽１の側面であって流出口５の上方に取りつけられた流入口８に接続されている。
【００１７】
図２の実施の形態１、２および３に示すポンプの横断面図および、図３の実施の形態１に示すポンプの縦断正面図に示すように、１０はモータ部であって、支持金具１１を介してポンプ部１２のケーシング１３が一体的に連設されている。前記モータ部１０のシャフト１４はケーシング１３内に突入させてあり、先端部には羽根車１５がメカニカルシール１６を挟み込んだ状態で一体に連結されている。
【００１８】
また、前記ケーシング１３の前面開口部はパッキン１７を介して装置された補助金具１８に閉塞されており、この補助金具１８を挟んでポンプケース１９が開口部を補助金具１８に閉塞された状態で配置されている。
【００１９】
このポンプケース１９には吸入部２０と吐出部２１が形成されており、吸入部２０をポンプケース１９の吸入通路２２を介して羽根車１５の吸込側に連動させると共に、吐出部２１を吐出通路２３を有するポンプケース１９内に開口させ、更に、補助金具１８に穿設した還流穴２４を通じて羽根車１５の吐出側に連通させてある。
【００２０】
２５は羽根車吸込口である。吸入通路２２は羽根車吸込口２５から放射状に一定断面で延びている。
【００２１】
この吸入通路２２と周囲の吐出通路２３は分離板２６によって区画されて形成されている。分離板２６の上面は吸入部２０の近傍まで延びて、ここで吐出口側に向けて屈曲されている。
【００２２】
また、ポンプケース１９には導水路２７が吸入通路２２と連接された貯留部２８に接続されている。
【００２３】
以上の構成において、本実施の形態１におけるポンプおよびそのポンプを備えた浴槽水循環装置の動作を図１から図３を用いて説明する。
【００２４】
まず電磁弁が設けられた湯張り導水管９の電磁弁が開き給水が開始される。給水される水は、導水路２７を通り吸入通路２２と連接された貯留部２８よりポンプ３内部に流入する。流入した水は吸入通路２２を通り循環往路６を介し流出口５より浴槽１へ流出される。
【００２５】
また、羽根車吸込口２５より羽根車１５内部を通り吐出通路２３を通り循環復路７を介し流入口８からも浴槽１へ流出される。浴槽１が満水になると電磁弁が設けられた湯張り導水管９の電磁弁が閉じ給水が終了する。
【００２６】
次にモータ部１０が駆動しシャフト１４が回転駆動される。シャフト１４が回転駆動されると、シャフト１４の先端に連結された羽根車１５が同じく回転駆動されることでポンプ３が駆動される。
【００２７】
ポンプ３が駆動されると、浴槽水２は浴槽１の下部側面に取りつけられた流出口５より循環往路６に流入し、循環往路６を流れてポンプ３のポンプケース１９に設置された吸入部２０よりポンプ３内に吸入される。
【００２８】
この際に循環往路６内に残存していた空気は羽根車１５の回転により気水分離し、空気が水に先立って矢印ａで示すように、吐出通路２３から吐出部２１を通り循環復路７を介して流入口８から浴槽１へ吐出される。
【００２９】
一方、水と微量の残存空気は矢印ｂで示すように吐出通路２３を通り補助金具１８の還流穴２４を通じ羽根車１５へ還流される。前記動作の繰返しにより、循環往路６内に残存していた空気は浴槽１を経て大気へ放出される。
【００３０】
ポンプ３のポンプケース１９に設置された吐出部２１より循環復路７に吐出された浴槽水２は、循環復路７に接続されたガスや電気または灯油等を用いた加熱部４に導入され所定の温度まで加熱された後、その加熱部４に接続された循環復路７を流れて、浴槽１の側面の流出口５の上側に取りつけられた流入口８より浴槽１内へ流入する。
【００３１】
このように浴槽水２をポンプ３を用いることにより循環し、加熱部４において所定の温度まで加熱することで、浴槽１内の浴槽水２を所定の温度まで加熱し、かつ加熱後も浴槽水２の循環を継続することで浴槽水２の温度を常時所定温度に保つことが可能になる。
【００３２】
以上のように本実施の形態１によれば、電磁弁が設けられた湯張り導水管９を吸入通路２２と連接された貯留部２８に接続されている導水路２７と接続することにより一連の動作の際に切換弁を用いることなく給水動作よりポンプ運転動作へ切換ることが可能となる。
【００３３】
よって切換弁と切換弁制御装置を廃止でき、導水配管は簡素化されて液体供給装置の小型化とともに簡素化が実現可能な利便性の高い低コストのポンプを提供することができる。
【００３４】
（実施の形態２）
図１に示すように、浴槽１があり、その浴槽１の外側には浴槽１内の浴槽水２を吸入して吐出するためのポンプ３と、浴槽水２を加熱するためのガスや電気または灯油等を用いた加熱部４が設置されている。
【００３５】
浴槽１の下部の側面には浴槽水２の流出口５が取りつけられていて、その流出口５には循環往路６が接続されている。循環往路６の途中にはポンプ３が取りつけられている。ポンプ３には電磁弁が設けられた湯張り導水管９が接続されている。ポンプ３に接続された循環復路７の途中には加熱部４が取りつけられている。
【００３６】
その循環復路７は浴槽１の側面であって流出口５の上方に取りつけられた流入口８に接続されている。
【００３７】
図２および、図４の実施の形態２に示すポンプの縦断正面図に示すように、１０はモータ部であって、支持金具１１を介してポンプ部１２のケーシング１３が一体的に連設されている。前記モータ部１０のシャフト１４はケーシング１３内に突入させてあり、先端部には羽根車１５がメカニカルシール１６を挟み込んだ状態で一体に連結されている。
【００３８】
また、前記ケーシング１３の前面開口部はパッキン１７を介して装置された補助金具１８に閉塞されており、この補助金具１８を挟んでポンプケース１９が開口部を補助金具１８に閉塞された状態で配置されている。
【００３９】
このポンプケース１９には吸入部２０と吐出部２１が形成されており、吸入部２０をポンプケース１９の吸入通路２２を介して羽根車１５の吸込側に連動させると共に、吐出部２１を吐出通路２３を有するポンプケース１９内に開口させ、更に、補助金具１８に穿設した還流穴２４を通じて羽根車１５の吐出側に連通させてある。
【００４０】
２５は羽根車吸込口である。吸入通路２２は羽根車吸込口２５から放射状に一定断面で延びている。この吸入通路２２と周囲の吐出通路２３は分離板２６によって区画されて形成されている。分離板２６の上面は吸入部２０の近傍まで延びて、ここで吐出口側に向けて屈曲されている。
【００４１】
また、ポンプケース１９には導水路２７が吸入通路２２と連接された貯留部２８に接続されている。貯留部２８には貯留部内に滞留している液体をポンプが停止しているときに排出するための排出部２９が設けられている。
【００４２】
以上の構成において、本実施の形態２におけるポンプおよびそのポンプを備えた浴槽水循環装置の動作を図１、図２、図４を用いて説明する。
【００４３】
まず電磁弁が設けられた湯張り導水管９の電磁弁が開き給水が開始される。給水される水は、導水路２７を通り吸入通路２２と連接された貯留部２８よりポンプ３内部に流入する。流入した水は吸入通路２２を通り循環往路６を介し流出口５より浴槽１へ流出される。
【００４４】
また、羽根車吸込口２５より羽根車１５内部を通り吐出通路２３を通り循環復路７を介し流入口８からも浴槽１へ流出される。浴槽１が満水になると電磁弁が設けられた湯張り導水管９の電磁弁が閉じ給水が終了する。
【００４５】
次にモータ部１０が駆動しシャフト１４が回転駆動される。シャフト１４が回転駆動されると、シャフト１４の先端に連結された羽根車１５が同じく回転駆動されることでポンプ３が駆動される。
【００４６】
ポンプ３が駆動されると、浴槽水２は浴槽１の下部側面に取りつけられた流出口５より循環往路６に流入し、循環往路６を流れてポンプ３のポンプケース１９に設置された吸入部２０よりポンプ３内に吸入される。
【００４７】
この際に循環往路６内に残存していた空気は羽根車１５の回転により気水分離し、空気が水に先立って矢印ａで示すように、吐出通路２３から吐出部２１を通り循環復路７を介して流入口８から浴槽１へ吐出される。
【００４８】
一方、水と微量の残存空気は矢印ｂで示すように吐出通路２３を通り補助金具１８の還流穴２４を通じ羽根車１５へ還流される。前記動作の繰返しにより、循環往路６内に残存していた空気は浴槽１を経て大気へ放出される。
【００４９】
ポンプ３のポンプケース１９に設置された吐出部２１より循環復路７に吐出された浴槽水２は、循環復路７に接続されたガスや電気または灯油等を用いた加熱部４に導入され所定の温度まで加熱された後、その加熱部４に接続された循環復路７を流れて、浴槽１の側面の流出口５の上側に取りつけられた流入口８より浴槽１内へ流入する。
【００５０】
このように浴槽水２をポンプ３を用いることにより循環し、加熱部４において所定の温度まで加熱することで、浴槽１内の浴槽水２を所定の温度まで加熱し、かつ加熱後も浴槽水２の循環を継続することで浴槽水２の温度を常時所定温度に保つことが可能になる。
【００５１】
入浴後、浴槽１内の浴槽水２を排水する際にポンプ３内の浴槽水２はポンプケース１９に設置された吐出部２１より循環復路７を介して流入口８及び吸入部２０より循環往路６を介して流出口５より浴槽１内へと排出される。この際に導水路２７、貯留部２８内に滞留している浴槽水２は排出部２９を通り吐出通路２３へと排出され吐出部吐出部２１より循環復路７を介して流入口８より浴槽１内へと排出される。
【００５２】
以上のように本実施の形態２によれば、ポンプが停止しているとき導水配管内の液体を容易に排出することができる。
【００５３】
よって配管内の雑菌の繁殖や冬場の凍結を防止することができることから、衛生的で利便性の高い低コストのポンプを提供することができる。
【００５４】
（実施の形態３）
図１に示すように、浴槽１があり、その浴槽１の外側には浴槽１内の浴槽水２を吸入して吐出するためのポンプ３と、浴槽水２を加熱するためのガスや電気または灯油等を用いた加熱部４が設置されている。
【００５５】
浴槽１の下部の側面には浴槽水２の流出口５が取りつけられていて、その流出口５には循環往路６が接続されている。循環往路６の途中にはポンプ３が取りつけられている。ポンプ３には電磁弁が設けられた湯張り導水管９が接続されている。ポンプ３に接続された循環復路７の途中には加熱部４が取りつけられている。
【００５６】
その循環復路７は浴槽１の側面であって流出口５の上方に取りつけられた流入口８に接続されている。
【００５７】
図２および、図５の実施の形態３に示すポンプの縦断正面図に示すように、１０はモータ部であって、支持金具１１を介してポンプ部１２のケーシング１３が一体的に連設されている。前記モータ部１０のシャフト１４はケーシング１３内に突入させてあり、先端部には羽根車１５がメカニカルシール１６を挟み込んだ状態で一体に連結されている。
【００５８】
また、前記ケーシング１３の前面開口部はパッキン１７を介して装置された補助金具１８に閉塞されており、この補助金具１８を挟んでポンプケース１９が開口部を補助金具１８に閉塞された状態で配置されている。
【００５９】
このポンプケース１９には吸入部２０と吐出部２１が形成されており、吸入部２０をポンプケース１９の吸入通路２２を介して羽根車１５の吸込側に連動させると共に、吐出部２１を吐出通路２３を有するポンプケース１９内に開口させ、更に、補助金具１８に穿設した還流穴２４を通じて羽根車１５の吐出側に連通させてある。２５は羽根車吸込口である。吸入通路２２は羽根車吸込口２５から放射状に一定断面で延びている。
【００６０】
この吸入通路２２と周囲の吐出通路２３は分離板２６によって区画されて形成されている。分離板２６の上面は吸入部２０の近傍まで延びて、ここで吐出口側に向けて屈曲されている。
【００６１】
また、ポンプケース１９には導水路２７が吸入通路２２と連接され羽根車１５の回転軸より下方に設けられた貯留部２８に接続されている。貯留部２８には貯留部内に滞留している液体をポンプ３が停止しているときに排出するための排出部２９が設けられている。
【００６２】
以上の構成において、本実施の形態３におけるポンプおよびそのポンプを備えた浴槽水循環装置の動作を図１、図２、図５を用いて説明する。
【００６３】
まず電磁弁が設けられた湯張り導水管９の電磁弁が開き給水が開始される。給水される水は、導水路２７を通り吸入通路２２と連接された貯留部２８よりポンプ３内部に流入する。流入した水は吸入通路２２を通り循環往路６を介し流出口５より浴槽１へ流出される。
【００６４】
また、羽根車吸込口２５より羽根車１５内部を通り吐出通路２３を通り循環復路７を介し流入口８からも浴槽１へ流出される。浴槽１が満水になると電磁弁が設けられた湯張り導水管９の電磁弁が閉じ給水が終了する。
【００６５】
次にモータ部１０が駆動しシャフト１４が回転駆動される。シャフト１４が回転駆動されると、シャフト１４の先端に連結された羽根車１５が同じく回転駆動されることでポンプ３が駆動される。
【００６６】
ポンプ３が駆動されると、浴槽水２は浴槽１の下部側面に取りつけられた流出口５より循環往路６に流入し、循環往路６を流れてポンプ３のポンプケース１９に設置された吸入部２０よりポンプ３内に吸入される。
【００６７】
この際に循環往路６内に残存していた空気は羽根車１５の回転により気水分離し、空気が水に先立って矢印ａで示すように、吐出通路２３から吐出部２１を通り循環復路７を介して流入口８から浴槽１へ吐出される。
【００６８】
一方、水と微量の残存空気は矢印ｂで示すように吐出通路２３を通り補助金具１８の還流穴２４を通じ羽根車１５へ還流される。前記動作の繰返しにより、循環往路６内に残存していた空気は浴槽１を経て大気へ放出される。
【００６９】
ポンプ３のポンプケース１９に設置された吐出部２１より循環復路７に吐出された浴槽水２は、循環復路７に接続されたガスや電気または灯油等を用いた加熱部４に導入され所定の温度まで加熱された後、その加熱部４に接続された循環復路７を流れて、浴槽１の側面の流出口５の上側に取りつけられた流入口８より浴槽１内へ流入する。
【００７０】
このように浴槽水２をポンプ３を用いることにより循環し、加熱部４において所定の温度まで加熱することで、浴槽１内の浴槽水２を所定の温度まで加熱し、かつ加熱後も浴槽水２の循環を継続することで浴槽水２の温度を常時所定温度に保つことが可能になる。
【００７１】
入浴後、浴槽１内の浴槽水２を排水する際にポンプ３内の浴槽水２はポンプケース１９に設置された吐出部２１より循環復路７を介して流入口８及び吸入部２０より循環往路６を介して流出口５より浴槽１内へと排出される。
【００７２】
この際に導水路２７、貯留部２８内に滞留している浴槽水２は排出部２９を通り吐出通路２３へと排出され吐出部２１より循環復路７を介して流入口８より浴槽１内へと排出される。
【００７３】
以上のように本実施の形態３によれば、導水路２７の距離は短くなり滞留しているの浴槽水２の体積は少なくなりポンプ３が停止しているとき導水配管内の液体をより早く容易に排出することができる。
【００７４】
よって配管内の雑菌の繁殖や冬場の凍結を防止することができることから、衛生的で利便性の高い低コストのポンプ３を提供することができる。
【００７５】
なお以上の実施の形態において、貯留部２８はどの位置にも設定できる。排出部２９の形状については例えばＯ状や四角形状さらには半楕円形状等の任意の穴でも良く、またパイプを設置しても良く貯留部２８と吐出通路２３が分離版２６に穿設された通路により連接されていれば良い。
【００７６】
実施の形態１において貯留部２８は羽根車１５の回転軸より上方に形成したが実施の形態３のように羽根車１５の回転軸より下方に形成するようにしても良い。
【００７７】
実施の形態２および実施の形態３においては排出部２９の形状は切り欠き形状としたが、Ｏ状や四角形状さらには半楕円形状等の任意の穴でも良く、またパイプを設置しても良い。
【産業上の利用可能性】
【００７８】
本発明のポンプは、例えば燃料電池装置やヒートポンプ装置等に使用される様々なポンプへの応用が期待できる。
【図面の簡単な説明】
【００７９】
【図１】実施の形態１、２および３に示す浴槽水の循環装置の全体概要図
【図２】実施の形態１、２および３に示すポンプの横断面図
【図３】実施の形態１に示すポンプの縦断正面図
【図４】実施の形態２に示すポンプの縦断正面図
【図５】実施の形態３に示すポンプの縦断正面図
【符号の説明】
【００８０】
１    浴槽
２    浴槽水
３    ポンプ
４    加熱部
５    流出口
６    循環往路
７    循環復路
８    流入口
９    電磁弁が設けられた湯張り導水管
１０    モータ部
１１    指示金具
１２    ポンプ部
１３    ケーシング
１４    シャフト
１５    羽根車
１６    メカニカルシール
１７    パッキン
１８    補助金具
１９    ポンプケース
２０    吸入部
２１    吐出部
２２    吸入通路
２３    吐出通路
２４    還流穴
２５    羽根車吸込口
２６    分離板
２７    導水路
２８    貯留部
２９    排出部
【図１】
2006233762.tif 000003
【図２】
2006233762.tif 000004
【図３】
2006233762.tif 000005
【図４】
2006233762.tif 000006
【図５】
2006233762.tif 000007